(57)【要約】【課題】簡単に複数の照明装置を設置でき、かつメンテナンス負担を軽減させる照明システムを提供する。【解決手段】照明システム３９における親照明装置１９には、外部型太陽電池パネル１１、並びに、外部型太陽電池パネル１１の電力を用いて発光する第１照明灯ＬＴ１および媒介灯１４が含まれる。一方、照明システム３９における子照明装置２９には、親照明装置１９の媒介灯１４からの光を受光し、その光を用いて外部に光を照射させる１次光利用ユニットＵＴ１が含まれる。【選択図】図１
2010135081.tif 000002
【特許請求の範囲】
【請求項１】
自然エネルギーを用いて電力を発生させる第１電力供給源、並びに、上記第１電力供  給源の電力を用いて発光する第１照明光源および媒介光源、を搭載する親照明装置と、
上記媒介光源からの光を受光し、その光を用いて外部に光を照射させる１次光利用ユ  ニットを搭載する子照明装置と、
を含む照明システム。
【請求項２】
上記１次光利用ユニットには、
上記媒介光源からの光を受光するとともに、反射させる導光用反射部と、
上記導光用反射部からの反射光を受光するととともに反射させることで、外部に光を  照射させる照射用反射部と、
が含まれる請求項１に記載の照明システム。
【請求項３】
上記照射用反射部が、放射状に光を反射させる請求項２に記載の照明システム。
【請求項４】
上記１次光利用ユニットには、
上記媒介光源からの光を受光することで電力を発生させる光電変換型の第２電力供給
源と、
上記第２電力供給源の電力を用いて発光することで、外部に光を照射させる第２照明  光源と、
が含まれる請求項１に記載の照明システム。
【請求項５】
上記子照明装置には、上記第２照明光源を発光制御する第２制御部が含まれる請求項４に記載の照明システム。
【請求項６】
上記子照明装置には、上記第２電力供給源からの電力を蓄電する第２蓄電池が含まれる請求項４または５に記載の照明システム。
【請求項７】
上記第１照明発光源および上記媒介光源の少なくとも一方は、発光素子の集まったデバイスである請求項１〜６のいずれか１項に記載の照明システム。
【請求項８】
上記媒介光源は、地上から３０ｃｍ以上の高さに位置する請求項１〜７のいずれか１項に記載の照明システム。
【請求項９】
上記親照明装置には、上記第１照明光源と上記媒介光源とを個別に発光制御する第１制御部が含まれる請求項１〜８のいずれか１項に記載の照明システム。
【請求項１０】
上記親照明装置には、上記第１電力供給源からの電力を蓄電する第１蓄電池が含まれる請求項１〜９のいずれか１項に記載の照明システム。
【請求項１１】
上記親照明装置の筐体は、ステンレス製またはアルミニウム合金製である請求項１〜１０のいずれか１項に記載の照明システム。
【請求項１２】
上記子照明装置の筐体は、ステンレス製またはアルミニウム合金製である請求項１〜１１のいずれか１項に記載の照明システム。
【請求項１３】
上記第１電力供給源が、光電変換装置である請求項１〜１２のいずれか１項に記載の照明システム。
【発明の詳細な説明】
【技術分野】
【０００１】
本発明は、例えば太陽電池パネルによる電力で駆動する照明システムに関する。
【背景技術】
【０００２】
従来から、太陽光（自然エネルギー）を用いた発電装置である太陽電池パネルが存在する。そして、この太陽電池パネルによる電力で発光する照明装置も、多々存在する（特許文献１等）
【０００３】
ただし、街路樹のように、複数の照明装置（このような照明装置の集まりを照明システムと称する）が設置される場所にて、特許文献１に記載されるような照明装置が使用される場合、種々の問題が生じる。
【０００４】
例えば、太陽電池パネル（第１電力供給源）は、より大量の太陽光を受けるべく、比較的広面積を有する。そのため、このような太陽電池パネルを搭載する照明装置は、比較的重く、設置に要する労力負担は大きい。その上、広面積な太陽電池パネルに起因して、照明装置は、一定以上の間隔を空けなくては、設置できない。つまり、太陽電池パネルのような大型の発電装置を搭載する照明装置を複数設置させるには、手間がかかるという問題が生じる。
【０００５】
そこで、複数個を簡単に設置可能な照明装置として、特許文献２に記載されるような乾電池の電力で駆動する照明装置が挙げられる。
【特許文献１】実開昭６２−１６９４０８号公報
【特許文献２】特開２００１−３１９５０４号公報
【発明の開示】
【発明が解決しようとする課題】
【０００６】
しかしながら、この特許文献２の照明装置では、頻繁に乾電池を取り替えなくてはならず、メンテナンスが煩わしい。特に、複数個の照明装置が設置されていると、それら照明装置のメンテナンスには、多大な労力がかかる。その上、ランニングコストも極めて高くなる。
【０００７】
なお、乾電池に変えて充電池を照明装置に採用することも考えられるが、充電作業を行う労力がかかり、それら照明装置（すなわち照明システム）のメンテナンスには、やはり多大な労力がかかる。
【０００８】
本発明は、上記の問題点を解決するためになされたものである。そして、その目的は、簡単に複数の照明装置を設置でき、かつメンテナンス負担を軽減させる照明システムを提供することにある。
【課題を解決するための手段】
【０００９】
照明システムは、親照明装置と子照明装置とを含む。親照明装置は、自然エネルギーを用いて電力を発生させる第１電力供給源、並びに、第１電力供給源の電力を用いて発光する第１照明光源および媒介光源、を搭載する。一方、子照明装置は、媒介光源からの光を受光し、その光を用いて外部に光を照射させる１次光利用ユニットを搭載する。
【００１０】
このような照明システムでは、第１電力供給源により、照明システムを動作させるために商用電源が不要になる。その上、媒介光源と１次光利用ユニットとによって、親照明装置と子照明装置との間での装置間配線も不要になる。そのため、この照明システムの設置場所の自由度が増す。さらに、比較的重い第１電力供給源は、親照明装置だけに搭載されていればよいので、軽量な子照明装置の配置に労力はかからない（ひいては、照明システムの設置が簡単になる）。また、商用電源および装置間配線が不要になるので、非常に低コストかつ簡単に、照明システムの設置が可能になる。
【００１１】
１次光利用ユニットの一例としては、以下のようなものが挙げられる。すなわち、媒介光源からの光を受光するとともに、反射させる導光用反射部と、導光用反射部からの反射光を受光するととともに反射させることで、外部に光を照射させる照射用反射部と、を含む１次光利用ユニットが挙げられる。
【００１２】
このような１次光利用ユニットは、反射部という比較的簡素な部材である。そのため、子照明装置の製造が容易になり、かつコストも抑えられる。
【００１３】
なお、照射用反射部が、放射状に光を反射させると望ましい。このようになっていると、子照明装置は、広範囲にわたって外部を照らせる。
【００１４】
ところで、１次光利用ユニットの別例として、媒介光源からの光を受光することで電力を発生させる光電変換型の第２電力供給源と、第２電力供給源の電力を用いて発光することで、外部に光を照射させる第２照明光源と、を含む１次光利用ユニットも挙げられる。
【００１５】
そして、このような１次光利用ユニットを含む子照明装置には、第２照明光源を発光制御する第２制御部が含まれると望ましい。このようになっていると、第２照明光源のＯＮ／ＯＦＦ、発光輝度の変化等の様々な動作が可能になる。
【００１６】
また、このような子照明装置には、第２電力供給源からの電力を蓄電する第２蓄電池が含まれると望ましい。このようになっていると、第２蓄電池に蓄えられた電力で、第２照明光源が時間帯の制限を受けることなく発光可能になる。
【００１７】
ところで、親照明装置に含まれる第１照明発光源および媒介光源の少なくとも一方は、ランニングコスト抑制のために、低消費電力の発光素子の集まったデバイスであると望ましい。
【００１８】
また、媒介光源からの光を確実に１次光利用ユニットに供給すべく、媒介光源は、地上から３０ｃｍ以上の高さに位置すると望ましい。このようになっていると、媒介光源からの光を遮るような遮蔽物が少なくなるためである。
【００１９】
また、親照明装置には、第１照明光源と媒介光源とを個別に発光制御する第１制御部が含まれていると望ましい。このようになっていると、第１照明光源および媒介光源のＯＮ／ＯＦＦ、発光輝度の変化等の様々な動作が可能になる。
【００２０】
また、親照明装置には、第１電力供給源からの電力を蓄電する第１蓄電池が含まれると望ましい。このようになっていると、第１蓄電池に蓄えられた電力で、第１照明光源が時間帯の制限を受けることなく発光可能になる。
【００２１】
なお、外部環境に耐えるべく、親照明装置の筐体は、ステンレス製またはアルミニウム合金製であると望ましい。同様に、子照明装置の筐体も、ステンレス製またはアルミニウム合金製であると望ましい。
【００２２】
また、第１電力供給源の種類は、一例として、光電変換装置が挙げられるが、これに限定されるものでない。
【発明の効果】
【００２３】
本発明の照明システムによれば、商用電源を無くし、かつ、親照明装置と子照明装置との間での装置間配線も無くせる。そのため、商用電源の位置や装置間配線のことを考慮せずに、簡単に照明システムを設置できる。また、照明システムの駆動源となる第１電力供給源は、自然エネルギーで電力を生成するので、メンテナンス負担は極めて軽い。そのため、この照明システムは、簡単に複数の照明装置を設置でき、かつメンテナンス負担を軽減させられる。
【発明を実施するための最良の形態】
【００２４】
［実施の形態１］
実施の一形態について、図面に基づいて説明すれば、以下の通りである。なお、便宜上、ハッチングや部材符号等を省略する場合もあるが、かかる場合、他の図面を参照するものとする。また、記載される数値実施例は、一例にすぎず、その数値に限定されるものではない。
【００２５】
図１の斜視図は、照明システム３９を示す（なお、図面での一点鎖線は光を簡略して示している）。この照明システム３９は、親照明装置１９と子照明装置２９とを含む。そして、これら両方の照明装置１９・２９は、光を外部に照射することで、外部を照らすものである。
【００２６】
親照明装置１９は、図２の斜視図（図１の拡大図）および図３のブロック図に示すように、外部型太陽電池パネル（第１電力供給源）１１と、照明ユニット１２とを含む。
【００２７】
外部型太陽電池パネル１１は、太陽光のような光を受光することで電力（例えば、２０Ｗ〜１００Ｗ程度の電力）を生成する光電変換装置である。そして、この外部型太陽電池パネル１１は、照明ユニット１２の外装となる柱状の第１ハウジングＨＧ１の先端ＨＧ１ｔ付近にて、種々方向に回転可能で、かつ、種々角度に変化可能に取り付けられる（なお、外部型太陽電池パネル１１は、第１ハウジングＨＧ１の先端ＨＧ１ｔ付近に取り付けられることで、地上高１．３〜２．５ｍ程度に位置する）。
【００２８】
例えば、外部型太陽電池パネル１１は、第１ハウジングＨＧ１の先端ＨＧ１ｔ付近にて、不図示のアタッチメントで、第１ハウジングＨＧ１を軸中心として３６０°回転可能に取り付けられる。さらに、そのアタッチメントは、水平面に対して、例えば３０°とか４５°の角度に傾斜可能に、外部型太陽電池パネル１１を第１ハウジングＨＧ１の先端ＨＧ１ｔ付近に取り付ける（なお、外部型太陽電池パネル１１を第１ハウジングＨＧ１に取り付けかつ変動させるためのアタッチメントの形状や種類は、特に限定されるものではない）。
【００２９】
照明ユニット１２は、外部型太陽電池パネル１１にて生成される電力を用いて、光を生成し、外部を照らすものである。そして、この照明ユニット１２は、第１ハウジング（筐体）ＨＧ１、第１蓄電池ＢＴ１、第１照明灯（第１照明光源）ＬＴ１、媒介灯（媒介光源）１４、レンズユニット１５、振動感知センサ１６、および第１コントローラ（第１制御部）ＣＲ１を含む。
【００３０】
第１ハウジングＨＧ１は、第１蓄電池ＢＴ１、第１照明灯ＬＴ１、媒介灯１４、レンズユニット１５、振動感知センサ１６、および第１コントローラＣＲ１のような種々部材を収容する収容体であり、照明ユニット１２（ひいては、親照明装置１９）の外装となる。なお、第１ハウジングＨＧ１に収容されるいくつかの部材同士は、ワイヤーハーネスで電気的に接続されているが、便宜上、そのワイヤーハーネスは不図示とする。
【００３１】
また、照明ユニット１２（ひいては親照明装置１９）は、屋外に設置されることもあるので、第１ハウジングＨＧ１は過酷な屋外環境に耐え得る材料で形成されていると望ましい。例えば、ステンレス、または、アルミニウム合金のような耐蝕性の高い金属で形成されているとよい。
【００３２】
なお、第１ハウジングＨＧ１は、例えば、図２に示すような八角柱のような柱状であり（例えば、高さ１・０〜２．０ｍ程度の柱状であり）、第１照明灯ＬＴ１および媒介灯１４からの光を外部に通過させる窓ＷＤ１（ＷＤ１ｕ・ＷＤ１ｍ）を含む。そして、この窓ＷＤ１の個数は、第１照明灯ＬＴ１および媒介灯１４の個数にあわせて、複数であっても単数であってもかまわない。
【００３３】
また、このような窓ＷＤ１には、外部と遮断する透明カバーＣＶが取り付けられる（なお、後述の窓ＷＤ２にも透明カバーＣＶが取り付けられる）。なお、この透明カバーＣＶの材質は特に限定されるものではなく、例えばガラスまたは樹脂等の透過性の材質であればよい。
【００３４】
第１蓄電池ＢＴ１は、外部型太陽電池パネル１１にて生成された電力を蓄えるものである。そして、この第１蓄電池ＢＴ１は、第１コントローラＣＲ１の制御の下で、昼夜問わずにいつでも所望の時間に、蓄えた電力を第１照明灯ＬＴ１および媒介灯１４に供給できる。
【００３５】
なお、この第１蓄電池ＢＴ１は比較的重い。そのため、第１蓄電池ＢＴ１は第１ハウジングＨＧ１の根元ＨＧ１ｂ付近に配置されると望ましい。このようになっていると、照明ユニット１２の重心が、第１ハウジングＨＧ１の根元ＨＧ１ｂ付近になり、地平面に安定的（例えば、強風に倒れることなく）、かつ簡単に照明ユニット１２が取り付けられるためである。
【００３６】
また、このような照明ユニット１２の地平面への固定の仕方の一例としては、打ち込み式のアンカーボルトを用いた固定が挙げられる。そして、このような固定の仕方であれば、照明ユニット１２は、コンクリート土台を地中に埋め込むことなく、地平面に固定可能になる。
【００３７】
第１照明灯ＬＴ１は、照明ユニット１２（ひいては親照明装置１９）の周囲を照らす光源である。詳説すると、この第１照明灯ＬＴ１は、第１蓄電池ＢＴ１から供給される電力または外部型太陽電池パネル１１から直接供給される電力によって発光する。さらに、この第１照明灯ＬＴ１は、第１ハウジングＨＧ１の先端ＨＧ１ｔ側（地上から１．０〜２．０ｍ程度）における側壁に設けられた窓ＷＤ１ｕから、光を出射できるように配置される（なお、第１ハウジングＨＧ１内における第１照明灯ＬＴ１の取り付け方は、特に限定されるものではない）。
【００３８】
なお、図２および図３に示すように、第１照明灯ＬＴ１は８個、照明ユニット１２に搭載される。そのため、第１照明灯ＬＴ１用の８個の窓ＷＤ１ｕが第１ハウジングＨＧ１に必要になる。そこで、八角柱の第１ハウジングＨＧ１の外周における８枚の側壁の各々に窓ＷＤ１ｕが形成され、その窓ＷＤ１ｕ毎に第１照明灯ＬＴ１が配置される。しかし、第１照明灯ＬＴ１の個数は、これに限定されることはなく、単数であっても８個以外の個数であってもかまわない（もちろん、窓ＷＤ１ｕの個数も、第１照明灯ＬＴ１に合わせて、単数であっても、８個以外の個数であってもかまわない）。
【００３９】
また、第１照明灯ＬＴ１の種類も、特に限定されるものではない。例えば、第１照明灯ＬＴ１は、ＬＥＤ（Light Emitting Diode）のような発光素子が集まった集合体であってもよいし、白熱ランプまたはハロゲンランプのようなものであってもかまわない。
【００４０】
媒介灯１４は、子照明装置２９に向かって光を供給する光源である（なお、子照明装置２９が媒介灯１４の光を要する理由は後述する）。詳説すると、媒介灯１４は、第１照明灯ＬＴ１同様、第１蓄電池ＢＴ１から供給される電力または外部型太陽電池パネル１１から直接供給される電力によって、発光する光源である。さらに、媒介灯１４は、第１ハウジングＨＧ１における先端ＨＧ１ｔと根元ＨＧ１ｂとの間付近（地上から０．３ｍ以上）の側壁に設けられた窓ＷＤ１ｍから、光を出射できるように配置される（なお、第１ハウジングＨＧ１内における媒介灯１４の取り付け方は、第１照明灯ＬＴ１同様、特に限定されるものではない）。
【００４１】
なお、図２に示すように、媒介灯１４は１個、照明ユニット１２に搭載される。そのため、媒介灯１４用の１個の窓ＷＤ１ｍが第１ハウジングＨＧ１に必要になる。そこで、八角柱の第１ハウジングＨＧ１の外周における１枚の側壁に窓ＷＤ１ｍが形成され、その窓ＷＤ１ｍに合わせて媒介灯１４が配置される。しかし、媒介灯１４の個数は、これに限定されることはなく、複数であってもかまわない（もちろん、窓ＷＤ１ｍの個数も、媒介灯１４に合わせて複数であってもかまわない）。
【００４２】
また、媒介灯１４の種類は、第１照明灯ＬＴ１同様、特に限定されるものではない。例えば、媒介灯１４は、ＬＥＤのような発光素子の集合体（ＬＥＤユニット）であってもよいし、白熱ランプまたはハロゲンランプのようなものであってもかまわない。ただし、媒介灯１４は、子照明装置２９に向けて光を供給するので、できるだけ指向性の高い光源（例えば、ＬＥＤユニット）であると望ましい。
【００４３】
レンズユニット１５は、媒介灯１４からの光を透過させることで、その光を収斂させる（投光径を短縮させる）。このようになっていると、レンズユニット１５を透過する光が、損失することなく、子照明装置２９に到達するので望ましい（この望ましい理由は後述する）。
【００４４】
振動感知センサ１６は、照明ユニット１２（ひいては親照明装置１９）の所定位置からの変位を感知するセンサである。例えば、地震等で、親照明装置１９が倒れたような場合、その旨を感知する。
【００４５】
第１コントローラＣＲ１は、外部型太陽電池パネル１１、外部型太陽電池パネル１１用のアタッチメント（不図示）、第１蓄電池ＢＴ１、第１照明灯ＬＴ１、媒介灯１４、および振動感知センサ１６等の種々部材の動作制御を統括制御する（なお、第１コントローラＣＲ１は、スイッチＳＷを介して、種々部材を制御することもある）。
【００４６】
例えば、第１コントローラＣＲ１は、第１照明灯ＬＴ１および媒介灯１４に対するＯＮ／ＯＦＦ、照明時間、明るさ等の種々の発光制御を行う。特に、第１コントローラＣＲ１は、第１照明灯ＬＴ１および媒介灯１４に関する発光制御を個別に行う。例えば、親照明装置１９による照明が不要な場合には、第１コントローラＣＲ１は、媒介灯１４のみを点灯させられる。そのため、この第１コントローラＣＲ１は、照明システム３９における消費電力の抑制を図れる。
【００４７】
また、第１コントローラＣＲ１は、第１蓄電池ＢＴ１の充放電を制御したり、外部型太陽電池パネル１１の向きを変動させるために、アタッチメントの動作を変えたりもする。さらには、第１コントローラＣＲ１は、振動感知センサ１６の感知結果、例えば親照明装置１９が転倒したと感知した場合、第１照明灯ＬＴ１および媒介灯１４を緊急停止させたりもする。
【００４８】
次に、子照明装置２９について図４を用いて説明する。子照明装置２９は、親照明装置１９における媒介灯１４からの光を用いて、外部を照らすものである。そして、この子照明装置２９は、第２ハウジングＨＧ２、導光用反射ミラー（導光用反射部）２１および照射用反射ミラー（照明用反射部）２２を含む（なお、この導光用反射ミラー２１と照射用反射ミラー２２とを１次光利用ユニットＵＴ１とも称する）。
【００４９】
第２ハウジングＨＧ２は、導光用反射ミラー２１および照射用反射ミラー２２を収容する収容体であり、子照明装置２９の外装となる。そのため、この第２ハウジングＨＧ２も、親照明装置１９の第１ハウジングＨＧ１同様、ステンレスのような耐蝕性の高い金属で形成されているとよい。
【００５０】
また、第２ハウジングＨＧ２は、第１ハウジングＨＧ１同様に、八角柱のような柱状であり（例えば、高さ１．０〜２．０ｍ程度の柱状であり）、導光用反射ミラー２１に入射させる光を外部から取りこむための窓ＷＤ２ｍと、照射用反射ミラー２２からの反射光を外部に出射させるための窓ＷＤ２ｕとを含む。そして、この窓ＷＤ２（ＷＤ２ｕ・ＷＤ２ｍ）の個数は、複数であっても単数であってもかまわない。
【００５１】
導光用反射ミラー２１は、親照明装置１９における媒介灯１４からの光を受光するとともに、反射させて照射用反射ミラー２２へと導く。そのため、この導光用反射ミラー２１は、媒介灯１４からの光が地平面に対してほぼ平行に進むような場合、媒介灯１４とほぼ同程度の地上高に位置する。
【００５２】
したがって、導光用反射ミラー２１に入射する光を外部から取りこむための窓ＷＤ２ｍは、第２ハウジングＨＧ２における先端ＨＧ２ｔと根元ＨＧ２ｂとの間付近で、地上から０．３ｍ以上の側壁に設けられる（なお、第２ハウジングＨＧ２内における導光用反射ミラー２１の取り付け方は、特に限定されるものではない）。
【００５３】
また、図１に示す照明システム３９では、窓ＷＤ１ｍ・ＷＤ２ｍは、親照明装置１９における１つの媒介灯１４からの出射光に対応して１つであったが、これに限定されるものではない。例えば、図５に示すように、複数の親照明装置１９を含む照明システム３９で、子照明装置２９の導光用反射ミラー２１が複数の媒介灯１４の光を受ける場合、窓ＷＤ２ｍが第２ハウジングＨＧ２に複数形成される。
【００５４】
照射用反射ミラー２２は、導光用反射ミラー２１からの反射光を受光するとともに、反射させ、さらに窓ＷＤ２ｕを通過させて第２ハウジングＨＧ２外へと導く。詳説すると、この照射用反射ミラー２２は、第２ハウジングＨＧ２の先端ＨＧ２ｔ側（地上から０．３ｍ以上）における側壁に設けられた窓ＷＤ２ｕから、光を出射できるように配置される（なお、第２ハウジングＨＧ２内における照射用反射ミラー２２の取り付け方は、特に限定されるものではない）。
【００５５】
また、特に、この照射用反射ミラー２２は、円錐状で、側面を反射面としている（すなわち、導光用反射ミラー２１の光を受光可能な位置に、円錐状の側面から成る全ての反射面が位置する）。そして、この反射面により、導光用反射ミラー２１からの反射光は、照射用反射ミラー２２を中心にして放射状に反射する（要は、照射用反射ミラー２２が、放射状に光を反射させる）。
【００５６】
これにより、子照明装置２９を中心にして放射状に光が拡がる。その上、放射状に光を進行させるにもかかわらず、照射用反射ミラー２２は単体である。そのため、子照明装置２９に搭載される部品点数が比較的少なくてすむ（要は、この照射用反射ミラー２２であれば、光を放射状に進行させるために、複数の反射ミラーが子照明装置２９に搭載されなくてもよい）。
【００５７】
なお、図４に示すように、照射用反射ミラー２２からの光を種々方向に進行させるために、例えば、放射状に位置する８個の窓ＷＤ２ｕが第２ハウジングＨＧ２に形成される（例えば、八角柱の第２ハウジングＨＧ２の外周における８枚の側壁の各々に窓ＷＤ２ｕが形成される）。しかし、窓ＷＤ２ｕの個数は、これに限定されることはなく、単数であっても８個以外の複数であってもかまわない。
【００５８】
以上のような親照明装置１９および子照明装置２９を含む照明システム３９では、以下のようなことがいえる。すなわち、照明システム３９における親照明装置１９には、太陽光のような自然エネルギーを用いて電力を発生させる外部型太陽電池パネル１１、並びに、外部型太陽電池パネル１１の電力を用いて発光する第１照明灯ＬＴ１および媒介灯１４が搭載される。
【００５９】
一方、照明システム３９における子照明装置２９には、親照明装置１９の媒介灯１４からの光を受光し、その光を用いて外部に光を照射させる１次光利用ユニットＵＴ１が搭載される。この１次光利用ユニットＵＴ１は、詳説すると、導光用反射ミラー２１および照射用反射ミラー２２である。
【００６０】
導光用反射ミラー２１は、親照明装置１９の媒介灯１４からの光を受け、その光を照射用反射ミラー２２に向けて反射させる。一方で、照射用反射ミラー２２は、導光用反射ミラー２１からの光を受け、その光を反射させることで、子照明装置２９の外部に光を照射させる。
【００６１】
このような照明システム３９では、商用電源が不要になる。そのため、この照明システム３９の設置場所の自由度が増す。例えば、屋外であっても、商用電源の位置を考慮することなく、照明システム３９が設置される。また、同時に、照明システム３９を設置するために、商用電源を新たに設置する工事も不要になる。その上、親照明装置１９と子照明装置２９との間での装置間配線も不要である。
【００６２】
また、照明システム３９における子照明装置２９は、親照明装置１９のように外部型太陽電池パネル１１を搭載していない。そのため、子照明装置２９を、太陽光を受光しにくい場所（例えば、建物周辺、街路樹の植樹周辺、小積雪地帯）に設置可能である。
【００６３】
その上、子照明装置２９に搭載される１次光利用ユニットＵＴ１（導光用反射ミラー２１および照射用反射ミラー２２）は、比較的簡素（低コスト）かつ軽量な部材である。そのため、子照明装置２９の製造は容易で、かつその子照明装置２９の移動も簡単である。したがって、非常に低コストかつ簡単に、照明システム３９の設置が可能になる。
【００６４】
さらに、親照明装置１９に搭載される第１照明灯ＬＴ１および媒介灯１４が、ＬＥＤユニットのような低消費電力型の照明デバイスであれば、これら第１照明灯ＬＴ１および媒介灯１４は、交換等することなく、長期間にわたって使用される。そのため、メンテナンスの手間もかからない（すなわち、照明システム３９のランニングコストが抑えられる）。
【００６５】
その上、媒介灯１４がＬＥＤユニットであれば、その出射光は、例えば白熱灯の光に比べて指向性の高い光であるので、導光用反射ミラー２１に到達しない光を極力少なくできる（すなわち、媒介灯１４からの光束が導光用反射ミラー２１の反射面よりも広面積にならず、その光のほとんどがその反射面に到達する）。そのため、媒介灯１４の光のうち、子照明装置２９の光として使用されない光量を減らせる。さらに、媒介灯１４の光がレンズユニット１５を通過することで収斂されていると、より一層、導光用反射ミラー２１に到達しない光量を減らせる。
【００６６】
ただし、このレンズユニット１５は、親照明装置１９に必須ではない。例えば、媒介灯１４と導光用反射ミラー２１との間隔（ひいては、親照明装置１９と子照明装置２９との間隔）が比較的短ければ、レンズユニット１５は省略されてもよい。なぜなら、ＬＥＤユニットである媒介灯１４の光の発散が拡大する前に、その光のほとんどが、十分に、導光用反射ミラー２１に到達するためである。
【００６７】
なお、この照明システム３９では、親照明装置１９のみが比較的大型な外部型太陽電池パネル１１を搭載する。そのため、親照明装置１９と、外部型太陽電池パネル１１を搭載しない子照明装置２９との間隔は容易に狭められる（要は、外部型太陽電池パネル１１が子照明装置２９に搭載されていれば、親照明装置１９の外部型太陽電池パネル１１にぶつからないように考慮しなければいけないが、この照明システム３９では、その考慮は不要である）。そのため、このような親照明装置１９と子照明装置２９との間隔を比較的短くできる照明システム３９では、ＬＥＤユニットが媒介灯１４に好適といえる。
【００６８】
また、媒介灯１４の位置が地上から比較的高ければ、導光用反射ミラー２１と媒介灯１４との間に、遮蔽物の位置する可能性は低くなる。そのため、安定的に、子照明装置２９が光を外部に照射するためには、媒介灯１４の位置および導光用反射ミラー２１の位置が、地上から比較的高いと望ましい（少なくとも０．３ｍ以上の地上高があればよい）。
【００６９】
また、親照明装置１９および子照明装置２９における第１ハウジングＨＧ１および第２ハウジングＨＧ２は、外部環境に耐え得る（例えば、耐蝕性等の高い）金属で形成されている。そのため、これら両ハウジングＨＧ１・ＨＧ２に収容される種々部材が、外部環境によって劣化したり破損したりしにくい。そのため、この照明システム３９は、いわゆるメンテナンスフリー（安定した独立型照明システム３９）といえる。
【００７０】
［実施の形態２］
実施の形態２について説明する。なお、実施の形態１で用いた部材と同様の機能を有する部材については同一の符号を付記し、その説明を省略する（なお、実施の形態１の照明システム３９で奏ずる作用効果で、共通するものの説明も省略する）。
【００７１】
実施の形態１では、子照明装置２９は、導光用反射ミラー２１と照明用反射ミラー２２とから成る１次光利用ユニットＵＴ１で、親照明装置１９の媒介灯１４から進行してくる光を利用し、外部に光を照射していた。しかし、子照明装置２９は、導光用反射ミラー２１および照明用反射ミラー２２以外の部材から成る１次光利用ユニットＵＴ１で、外部に光を照射させられる。そこで、このような別の１次光利用ユニットＵＴ１について、図６の斜視図および図７のブロック図を用いて説明する。
【００７２】
この１次光利用ユニットＵＴ１は、図６および図７に示すように、内蔵型太陽電池パネル（第２電力供給源）２４、第２蓄電池ＢＴ２、第２照明灯ＬＴ２、および第２コントローラＣＲ２を含む（なお、１次光利用ユニットＵＴ１は、少なくとも、内蔵型太陽電池パネル２４および第２照明灯ＬＴ２を含めばよい）。
【００７３】
内蔵型太陽電池パネル２４は、外部型太陽電池パネル１１同様、光（詳説すると、媒介灯１４からの光）を受光することで電力を生成する光電変換装置である。そして、この内蔵型太陽電池パネル２４は、窓ＷＤ２ｍから進入する光を受光可能に、第２ハウジングＨＧ２内部に取り付けられる。
【００７４】
なお、この内蔵型太陽電池パネル２４は、親照明装置１９におけるレンズユニット１５にて集光された媒介灯１４の光が入射するので、外部型太陽電池パネル１１に比べて小型である（望ましくは、内蔵型太陽電池パネル２４は、外部型太陽電池パネル１１よりも優れた発電能力を有することで、小型化されているとよい）。
【００７５】
また、内蔵型太陽電池パネル２４の取り付け方は、特に限定されるものではないが、外部型太陽電池パネル１１のアタッチメントのようなもので、第２ハウジングＨＧ２内部で、回転可能かつ傾斜可能に取り付けられるとよい（なお、本実施の形態では、内蔵型太陽電池パネル２４は、不図示のアタッチメントで第２ハウジングＨＧ２内部に取り付けられるものとする）。
【００７６】
第２蓄電池ＢＴ２は、内蔵型太陽電池パネル２４にて生成された電力を蓄えるものである。そして、この第２蓄電池ＢＴ２は、第２コントローラＣＲ２の制御の下で、昼夜問わずにいつでも所望の時間に、蓄えた電力を第２照明灯ＬＴ２に供給できる。
【００７７】
なお、この第２蓄電池ＢＴ２も、第１蓄電池ＢＴ１同様に比較的重い。そのため、第２蓄電池ＢＴ２は第２ハウジングＨＧ２の根元ＨＧ２ｂ付近に配置されると望ましい。このようになっていると、子照明装置２９の重心が、第２ハウジングＨＧ２の根元付近になり、地平面に安定的、かつ簡単に取り付けられるためである。
【００７８】
第２照明灯ＬＴ２は、第２ハウジングＨＧ２（ひいては子照明装置２９）の周囲を照らす光源である。詳説すると、この第２照明灯ＬＴ２は、第２蓄電池ＢＴ２から供給される電力または内蔵型太陽電池パネル２４から直接供給される電力によって発光する。なお、この第２照明灯ＬＴ２は、窓ＷＤ２ｕから、光を出射できるように配置される（ただし、第２ハウジングＨＧ２内における第２照明灯ＬＴ２の取り付け方は、特に限定されるものではない）。
【００７９】
また、図６に示すように、第２照明灯ＬＴ２は８個、子照明装置２９に搭載され、それに合わせて、８個の窓ＷＤ２ｕが第２ハウジングＨＧ２に形成される。しかし、第２照明灯ＬＴ２の個数および窓ＷＤ２ｕの個数は、これに限定されることはなく、単数であっても８個以外の複数であってもかまわない。
【００８０】
また、第２照明灯ＬＴ２の種類も、第１照明灯ＬＴ１同様、特に限定されるものではない。例えば、ＬＥＤユニット、白熱ランプまたはハロゲンランプのようなものであってもかまわない。
【００８１】
第２コントローラＣＲ２は、内蔵型太陽電池パネル２４、内蔵型太陽電池パネル２４用のアタッチメント（不図示）、第２蓄電池ＢＴ２、および第２照明灯ＬＴ２等の種々部材の動作制御を統括制御する。
【００８２】
例えば、第２コントローラＣＲ２は、第２照明灯ＬＴ２に対するＯＮ／ＯＦＦ、照明時間、明るさ等の種々の発光制御を行ったり、第２蓄電池ＢＴ２の充放電を制御したり、さらには、内蔵型太陽電池パネル２４の向きを変動させるために、アタッチメントの動作を変えたりもする（なお、第２コントローラＣＲ２は、スイッチＳＷを介して、種々部材を制御することもある）。
【００８３】
以上のような子照明装置２９を含む照明システム３９では、実施の形態１の照明システム３９同様、商用電源が不要になり、親照明装置１９と子照明装置２９との間での装置間配線も不要になる。そのため、この照明システム３９の設置場所の自由度が増す上に、非常に低コストで、照明システム３９の設置が可能になる。
【００８４】
また、実施の形態２の照明システム３９における子照明装置２９は、外部型太陽電池パネル１１に比べて小型でハウジングＨＧ２に内蔵可能な内蔵型太陽電池パネル２４を搭載する。そのため、この子照明装置２９の重量は、過剰に重くはならない。そのため、子照明装置２９の配置に要する労力は過度の負担にはならない。
【００８５】
また、子照明装置２９に含まれる１次光利用ユニットＵＴ１は、第２コントローラＣＲ２の制御で、第２照明灯ＬＴ２を照らす。そのため、この子照明装置２９は、第２照明灯ＬＴ２を適宜発光制御することで、様々な光を外部に照射させることができる。例えば、第２照明灯ＬＴ２の輝度や発光タイミング等を種々変化させたりできる。
【００８６】
なお、子照明装置２９にも、親照明装置１９同様に、振動感知センサ１６が搭載されてもよい。そして、このような子照明装置２９の場合、第２コントローラＣＲ２は、振動感知センサ１６の感知結果、例えば子照明装置２９が転倒したと感知した場合、第２照明灯ＬＴ２を緊急停止させる。
【００８７】
［その他の実施の形態］
なお、本発明は上記の実施の形態に限定されず、本発明の趣旨を逸脱しない範囲で、種々の変更が可能である。
【００８８】
例えば、図１の照明システム３９では、１個の親照明装置１９に対して１個の子照明装置２９が搭載されており、図５の照明システム３９では、２個の親照明装置１９に対して１個の子照明装置２９が搭載されていた。しかし、照明システム３９における親照明装置１９の個数と子照明装置２９の個数との関係は、種々存在する。
【００８９】
例えば、１個の親照明装置１９に対して複数の子照明装置２９を搭載する照明システム３９、および、複数の親照明装置１９に対して複数の子照明装置２９を搭載する照明システム３９等が存在する。
【００９０】
このような照明システム３９であっても、親照明装置１９が太陽光のような自然エネルギーを利用する第１照明灯ＬＴ１を搭載し、子照明装置２９が親照明装置１９の媒介灯１４からの光を利用して、光を外部に照射していれば、実施の形態１・２の照明システム３９同様、商用電源が不要になり、親照明装置１９と子照明装置２９との間での装置間配線も不要になる。そのため、実施例１・２の照明システム３９と同様の作用効果が奏ずる。
【００９１】
また、以上では、第１照明灯ＬＴ１および媒介灯１４に使用される電力は、太陽光を用いた発電に起因するものであったが、これに限定されるものではない。例えば、風力および地熱等のその他の自然エネルギーを用いた発電による電力で、第１照明灯ＬＴ１および媒介灯１４が発光してもかまわない。
【図面の簡単な説明】
【００９２】
【図１】は、照明システムの斜視図である。
【図２】は、照明システムに含まれる親照明装置の斜視図である。
【図３】は、親照明装置に含まれる種々部材を示すブロック図である。
【図４】は、照明システムに含まれる子照明装置の斜視図である。
【図５】は、照明システムの斜視図である。
【図６】は、照明システムに含まれる子照明装置の斜視図である。
【図７】は、子照明装置に含まれる種々部材を示すブロック図である。
【符号の説明】
【００９３】
１１        外部型太陽電池パネル（第１電力供給源）
１２        照明ユニット
ＨＧ１      第１ハウジング（親照明装置の筐体）
ＢＴ１      第１蓄電池
ＬＴ１      第１照明灯（第１照明光源）
１４        媒介灯
１５        レンズユニット
１６        振動感知センサ
ＣＲ１      第１コントローラ（第１制御部）
１９        親照明装置
ＵＴ１      １次光利用ユニット
２１        導光用反射ミラー（導光用反射部）
２２        照射用反射ミラー（照射用反射部）
ＨＧ２      第２ハウジング（子照明装置の筺体）
２４        内蔵型太陽電池パネル（第２電力供給源）
ＢＴ２      第２蓄電池
ＬＴ２      第２照明灯（第２照明光源）
ＣＲ２      第２コントローラ（第２制御部）
２９        子照明装置
３９        照明システム
【図１】
2010135081.tif 000003
【図２】
2010135081.tif 000004
【図３】
2010135081.tif 000005
【図４】
2010135081.tif 000006
【図５】
2010135081.tif 000007
【図６】
2010135081.tif 000008
【図７】
2010135081.tif 000009